(57)【要約】【課題】  簡単な構成により、液晶パネル面での輝度差の低減を図るようにしたバックライト装置およびこのバックライト装置を備えた液晶ディスプレイ装置を提供することを目的とする。【解決手段】  Ｕ字状曲管蛍光ランプ３ａ、３ｂは、少なくとも２本を一組としてランプ群４を形成し、それぞれのＵ字状曲管蛍光ランプ３ａ、３ｂは、互いに直管部３１、３２および曲がり部３３、３４により囲まれる空間に、他のＵ字状曲管蛍光ランプ３ａ（３ｂ）の一方の直管部３１を配置することができるスペース３Ｓを更に備え、ランプ群４は、それぞれのＵ字状曲管蛍光ランプ３ａ、３ｂが、直管部３１、３２の端部３１ｅ、３２ｅと、曲がり部３３、３４とが互に反対側に位置し、かつ、それぞれのＵ字状曲管蛍光ランプ３ａ、３ｂの一方の直管部３１が、他のＵ字状曲管蛍光ランプ３ａ（３ｂ）のスペース３Ｓに入り込むような状態に配設して形成する。【選択図】図２
2009004199.tif 000002
【特許請求の範囲】
【請求項１】
直管部と曲がり部とからなりＵ字状に形成したガラスランプ管と、このガラスランプ管の前記直管部の両方の端部に設けられた外部接続部とを備えたＵ字状曲管蛍光ランプを、複数本並設してなるバックライト装置において、
前記Ｕ字状曲管蛍光ランプは、少なくとも２本を一組としてランプ群を形成し、それぞれのＵ字状曲管蛍光ランプは、互いに前記直管部および前記曲がり部により囲まれる空間に、他のＵ字状曲管蛍光ランプの一方の直管部を配置することができるスペースを更に備え、前記ランプ群は、それぞれのＵ字状曲管蛍光ランプが、前記直管部の端部と、曲がり部とが互に反対側に位置し、かつ、それぞれのＵ字状曲管蛍光ランプの一方の直管部が、他のＵ字状曲管蛍光ランプの前記スペースに入り込むような状態に配設して形成したことを特徴とするバックライト装置。
【請求項２】
前記ランプ群を、同じ配列順序で複数群並設したことを特徴とする請求項１に記載のバックライト装置。
【請求項３】
前記ランプ群における前記Ｕ字状曲管蛍光ランプの相対する直管部間の間隙が、全て略同じ間隙となるように、前記Ｕ字状曲管蛍光ランプを配置したことを特徴とする請求項１または請求項２に記載のバックライト装置。
【請求項４】
直管部と曲がり部とからなりＵ字状に形成したガラスランプ管と、このガラスランプ管の前記直管部の両方の端部に設けられた外部接続部とを備えたＵ字状曲管蛍光ランプを、複数本並設してなるバックライト装置を備えた液晶ディスプレイ装置において、
前記バックライト装置は、前記Ｕ字状曲管蛍光ランプを少なくとも２本を一組としてランプ群を形成し、それぞれのＵ字状曲管蛍光ランプは、互いに前記直管部および前記曲がり部により囲まれる空間に、他方のＵ字状曲管蛍光ランプの一方の直管部を配置することができるスペースを更に備え、前記ランプ群は、それぞれのＵ字状曲管蛍光ランプが、前記直管部の端部と、曲がり部とが互に反対側に位置し、かつ、一方のＵ字状曲管蛍光ランプの一方の直管部が、他方のＵ字状曲管蛍光ランプの前記スペースに入り込むような状態に配設して形成したことを特徴とする液晶ディスプレイ装置。
【発明の詳細な説明】
【技術分野】
【０００１】
本発明は、例えば、液晶ディスプレイ装置の液晶パネルを背面から照射する直下型のバックライト装置およびこのバックライト装置を備えた液晶ディスプレイ装置に関し、特に、簡単な構成により、液晶パネル面での輝度差の低減を図るようにしたものである。
【背景技術】
【０００２】
例えば、液晶テレビジョン、計器表示装置、などに用いられる液晶ディスプレイ装置にあっては、バックライト装置の明るさがより均一であることが強く要望される傾向にある。
【０００３】
従来のこの種バックライト装置としては、例えば、長尺ランプの中央部で折り曲げてＵ字状曲管蛍光ランプを用いたものがある(例えば、特許文献１の図１３参照）。ところが、この構成によれば、Ｕ字状曲管蛍光ランプの外部接続部が位置する両方の端部と、折り曲げ部分である曲がり部とでは、外部接続部からの距離が異なり、外部接続部からの距離が遠くなる程、当該部分の輝度が低下する。即ち、両端部に比べ、曲がり部は、暗くなる。そして、上述の構成では、全てのＵ字状曲管蛍光ランプが、同一の方向(特許文献１の図１３では、右側に曲がり部、左側に外部接続部）に配設されているため、同図において左側に比べ、右側が暗くなる。
【０００４】
この対策として、上述の特許文献１では、図９に示すように、Ｕ字状曲管蛍光ランプＬをそれらの外部接続部ｔ１−ｔ２と、曲がり部ｍ１−ｍ２とが交互になるように配置している(例えば、特許文献１参照）。
【特許文献１】特開２００５−２６８０２８号公報
【発明の開示】
【発明が解決しようとする課題】
【０００５】
しかし、前述の特許文献１記載の構成では、図９に示すように、外部接続部ｔ１−外部接続部ｔ２−曲がり部ｍ１−曲がり部ｍ２の順番で順次配設されるため、合い隣り合うＵ字状曲管蛍光ランプで、明暗の差が生じるなどいった問題があった。
【０００６】
本発明は、上述した問題を解決するためになされたものであり、簡単な構成により、液晶パネル面での輝度差の低減を図るようにしたバックライト装置およびこのバックライト装置を備えた液晶ディスプレイ装置を提供することを目的とする。
【課題を解決するための手段】
【０００７】
かかる目的を達成するため、本発明では、直管部と曲がり部とからなりＵ字状に形成したガラスランプ管と、このガラスランプ管の直管部の両方の端部に設けられた外部接続部とを備えたＵ字状曲管蛍光ランプを、複数本並設してなるバックライト装置において、Ｕ字状曲管蛍光ランプは、少なくとも２本を一組としてランプ群を形成し、それぞれのＵ字状曲管蛍光ランプは、互いに直管部および曲がり部により囲まれる空間に、他のＵ字状曲管蛍光ランプの一方の直管部を配置することができるスペースを更に備え、ランプ群は、それぞれのＵ字状曲管蛍光ランプが、直管部の端部と、曲がり部とが互に反対側に位置し、かつ、それぞれのＵ字状曲管蛍光ランプの一方の直管部が、他のＵ字状曲管蛍光ランプのスペースに入り込むような状態に配設して形成する。
【０００８】
この構成によれば、ランプ群は、それぞれのＵ字状曲管蛍光ランプが、直管部の端部と、曲がり部とが互に反対側に位置し、かつ、それぞれのＵ字状曲管蛍光ランプの一方の直管部が、他のＵ字状曲管蛍光ランプのスペースに入り込むような状態に配設されている。この結果、Ｕ字状曲管蛍光ランプの両方の端部において、Ｕ字状曲管蛍光ランプの直管部の端部と、曲がり部とが交互に配設されている。従って、Ｕ字状曲管蛍光ランプの明暗部分は、必ず交互に配設されるので、バックライト装置として、より均一な輝度の照明が可能となる。
【０００９】
また、本発明においては、ランプ群を、同じ配列順序で複数群並設する。この構成によれば、ランプ群を、同じ配列順序で複数群並設すれば、極めて簡単にこの種装置の大型化に対応することができるので、都合が良い。
【００１０】
また、本発明においては、ランプ群におけるＵ字状曲管蛍光ランプの相対する直管部間の間隙が、全て略同じ間隙となるように、Ｕ字状曲管蛍光ランプを配置する。
【００１１】
この構成によれば、ランプ群におけるＵ字状曲管蛍光ランプの相対する直管部間の間隙が、全て略同じ間隙となるように、Ｕ字状曲管蛍光ランプを配置している。従って、Ｕ字状曲管蛍光ランプとしては、全て同じものを準備すれば良く、殊更、部品点数の増加を招来することなく、バックライト装置として、より均一な輝度の照明が可能となり、都合が良い。
【００１２】
更に、本発明においては、直管部と曲がり部とからなりＵ字状に形成したガラスランプ管と、このガラスランプ管の直管部の両方の端部に設けられた外部接続部とを備えたＵ字状曲管蛍光ランプを、複数本並設してなるバックライト装置を備えた液晶ディスプレイ装置において、バックライト装置は、Ｕ字状曲管蛍光ランプを少なくとも２本を一組としてランプ群を形成し、それぞれのＵ字状曲管蛍光ランプは、互いに直管部および曲がり部により囲まれる空間に、他方のＵ字状曲管蛍光ランプの一方の直管部を配置することができるスペースを更に備え、ランプ群は、それぞれのＵ字状曲管蛍光ランプが、直管部の端部と、曲がり部とが互に反対側に位置し、かつ、一方のＵ字状曲管蛍光ランプの一方の直管部が、他方のＵ字状曲管蛍光ランプの前記スペースに入り込むような状態に配設して形成する。
【００１３】
この構成によれば、それぞれのＵ字状曲管蛍光ランプが、直管部の端部と、曲がり部とが互に反対側に位置し、かつ、それぞれのＵ字状曲管蛍光ランプの一方の直管部が、他のＵ字状曲管蛍光ランプのスペースに入り込むような状態に配設されたバックライト装置を用いている。この結果、Ｕ字状曲管蛍光ランプの両方の端部において、Ｕ字状曲管蛍光ランプの直管部の端部と、曲がり部とが交互に配設されている。従って、Ｕ字状曲管蛍光ランプの明暗部分は、必ず交互に配設されるので、バックライト装置として、より均一な輝度の照明が可能となり、液晶パネル面での輝度差の低減を図ることができ、より鮮明な画像を表示することができる液晶ディスプレイ装置を得ることができる。
【発明の効果】
【００１４】
本発明によれば、簡単な構成により、液晶パネル面での輝度差の低減を図るようにしたバックライト装置およびこのバックライト装置を備えた液晶ディスプレイ装置を得ることができる。
【発明を実施するための最良の形態】
【００１５】
（第１実施形態）
以下、本発明の一実施形態を図１乃至図５に基づいて説明する。図１は、本発明の一実施形態に係るバックライト装置を有する液晶ディスプレイ装置を用いた液晶テレビジョンの概略構成を示す正面図である。図２は、バックライト装置の概略構成を示す正面図、図３は、図２に示すバックライト装置の背面図、図４は、図２に示すＵ字状曲管蛍光ランプの概略構成を示す一部を断面した断面図、図５は、図２に示すＵ字状曲管蛍光ランプのＵ字状曲管蛍光ランプの配置状態を示す正面図である。
【００１６】
図１に示す液晶テレビジョン１は、厚みの薄い略矩形状の筐体１１を有している。筐体１１は、例えば、スタンド機構１２などにより略鉛直に正立され、その正面側に矩形状の開口１１１が設けられている。開口１１１には、映像表示手段である、液晶ディスプレイ装置１３の表示面である液晶パネル１３１が嵌め込まれ、この液晶パネル１３１において映像を表示することが可能となっている。また、例えば、液晶ディスプレイ装置１３の下方には、スピーカ１４が配設されている。
【００１７】
かかる構成により、ユーザは、例えば、筐体１１に設けられた図示しない操作部或いはリモコンを操作し、所望のチャンネルに合わせることにより、液晶ディスプレイ装置１３の液晶パネル１３１に表示される画像を観ることができ、同時にスピーカ１４から音声を聴くことができる。
【００１８】
而して、本発明に従い、バックライト装置２は、その光源として図２および図５に示すように、少なくとも２本のＵ字状曲管蛍光ランプ３ａ、３ｂを並設して一組のランプ群４を形成している。Ｕ字状曲管蛍光ランプ３ａ、３ｂは、図４に示すように、直管部３１、３２と、曲がり部３３、３４とからなりＵ字状に形成したガラスランプ管３Ｔと、このガラスランプ管３Ｔの直管部３１、３２の両方の端部３１ｅ、３２ｅに設けられた外部接続部５とを備えている。また、それぞれのＵ字状曲管蛍光ランプ３ａ、３ｂは、互いに直管部３１、３２および曲がり部３３、３４により囲まれる空間に、他のＵ字状曲管蛍光ランプ３ｂ（３ａ）の一方の直管部３１を配置することができるスペース３Ｓを備えている。そしてランプ群５は、それぞれのＵ字状曲管蛍光ランプ３ａ、３ｂの直管部３１、３２の端部３１ｅ、３２ｅと、曲がり部３３、３４とが互に反対側に位置し、かつ、それぞれのＵ字状曲管蛍光ランプ３ａ、３ｂの一方の直管部３１が、他のＵ字状曲管蛍光ランプ３ｂ（３ａ）のスペース３Ｓに入り込むような状態に配設されている。
【００１９】
また、本実施形態におけるＵ字状曲管蛍光ランプ３ｂ（３ａ）は、ガラスランプ管３Ｔの内壁に蛍光膜３５を形成し、ガラスランプ管３Tの内部に１種類以上の希ガス、または水銀および１種類以上の希ガスを封入し、ガラスランプ管３Ｔの両方の端部３１ｅ、３２ｅに導入線５１を気密に封着し、ガラスランプ管３Ｔの外部において導入線５１の端部に給電用リード線５２を接続して外部接続部５を形成したものである。また、ガラスランプ管３Ｔの内部においては、導入線５１の端部に電極５３が接続されている。
【００２０】
また、ランプ群４を形成するＵ字状曲管蛍光ランプ３ａ、３ｂとしては、その直管部３１−３２との間隔Ｌ１が略同じ長さのものを用い、Ｕ字状曲管蛍光ランプ３ａ、３ｂの相対する直管部３１−３１、３１−３２、３２−３２、間の間隙Ｌ２が、全て略同じ間隙Ｌ２となるように、各Ｕ字状曲管蛍光ランプ３ａ、３ｂを配置する。
【００２１】
また、Ｕ字状曲管蛍光ランプ３ａ、３ｂは、図示しない反射板などとともに、バックライト用のハウジング６内の所定位置に配設されている。また、図３に示すように、ハウジング６の裏面には、例えば、液晶パネル１２を制御する制御回路などが実装された主基板７が配設されている。この主基板７には、図示しないがＵ字状曲管蛍光ランプ３ａ、３ｂに電力を給電する給電回路が設けられ、この給電回路にコネクタ７１が接続されている。そして、外部接続部５の給電用リード線５２の端部に接続され端子５４がそれぞれ繋がれ、各Ｕ字状曲管蛍光ランプ３ａ、３ｂに電力が給電される。
【００２２】
以上の構成による本実施形態によれば、ランプ群４は、それぞれのＵ字状曲管蛍光ランプ３ａ、３ｂが、直管部３１、３２の端部３１ｅ、３２ｅと、曲がり部３３、３４とが互に反対側に位置し、かつ、それぞれのＵ字状曲管蛍光ランプ３ａ、３ｂの一方の直管部３１が、他のＵ字状曲管蛍光ランプ３ｂ（３ａ）のスペース３Ｓに入り込むような状態に配設されている。この結果、Ｕ字状曲管蛍光ランプ３ａ、３ｂの両方の端部において、Ｕ字状曲管蛍光ランプ３ａ、３ｂの直管部３１、３２の端部３１ｅ、３２ｅと、曲がり部３３，３４とが交互に配設されている。従って、図５に示すように、Ｕ字状曲管蛍光ランプ３ａ、３ｂの明暗部分は、必ず交互に配設されるので、バックライト装置２として、より均一な輝度の照明が可能となる。
【００２３】
また、本実施形態によれば、ランプ群４を、同じ配列順序で複数群並設すれば、極めて簡単にこの種装置の大型化に対応することができるので、都合が良い。
【００２４】
更に、本実施形態によれば、ランプ群４におけるＵ字状曲管蛍光ランプ３ａ、３ｂの相対する直管部３１−３１、３１−３２、３２−３２間の間隙Ｌ２が、全て略同じ間隙Ｌ２となるように、Ｕ字状曲管蛍光ランプ３ａ、３ｂを配置している。従って、Ｕ字状曲管蛍光ランプ３ａ、３ｂとしては、全て同じものを準備すれば良く、殊更、部品点数の増加を招来することなく、バックライト装置２として、より均一な輝度の照明が可能となり、都合が良い。
【００２５】
（第２実施形態）
次に、本発明の他の実施形態について図６乃至図８を参照しながら説明する。図６は、本発明の他の実施形態に係るバックライト装置の概略構成を示す正面図、図７は、図６に示すＵ字状曲管蛍光ランプの概略構成を示す一部を断面した断面図、図８は、図６に示すＵ字状曲管蛍光ランプのＵ字状曲管蛍光ランプの配置状態を示す正面図である。なお、図６乃至図８において、上述した図１乃至図５と同じ符号を付した部分は、略同一のものを示すため、ここでは詳細な説明は省略する。以下、上述した第１実施形態との相違点を中心に説明する。
【００２６】
本実施形態では、図６および図８に示すバックライト装置２は、Ｕ字状曲管蛍光ランプ３ａ、３ｂとして、図７に示すように、電極を兼ねた外部接続部５０も用いたものである。即ち、ガラスランプ管３Ｔの内壁に蛍光膜３５を形成し、ガラスランプ管３Ｔの内部に１種類以上の希ガス、または水銀および１種類以上の希ガスを封入し、ガラスランプ管３Ｔの両部３１ｅ、３２ｅを閉塞し、そのガラスランプ管３Ｔの両端部３１ｅ、３２ｅの外面に電極を設けて外部接続部５０を形成したものである。
【００２７】
このように形成されたＵ字状曲管蛍光ランプ３ａ、３ｂを、上述した実施形態と同様、ランプ群４は、それぞれのＵ字状曲管蛍光ランプ３ａ、３ｂの直管部３１、３２の端部３１ｅ、３２ｅと、曲がり部３３、３４とが互に反対側に位置し、かつ、それぞれのＵ字状曲管蛍光ランプ３ａ、３ｂの一方の直管部３１が、他のＵ字状曲管蛍光ランプ３ｂ（３ａ）のスペース３Ｓに入り込むような状態に配設されている。
【００２８】
以上の構成による本実施形態よれば、上述した第１実施形態と同様、ランプ群４は、それぞれのＵ字状曲管蛍光ランプ３ａ、３ｂが、直管部３１、３２の端部３１ｅ、３２ｅと、曲がり部３３、３４とが互に反対側に位置し、かつ、それぞれのＵ字状曲管蛍光ランプ３ａ、３ｂの一方の直管部３１が、他のＵ字状曲管蛍光ランプ３ｂ（３ａ）のスペース３ｓに入り込むような状態に配設されている。この結果、Ｕ字状曲管蛍光ランプ３ａ、３ｂの両方の端部において、Ｕ字状曲管蛍光ランプ３ａ、３ｂの直管部３１、３２の端部３１ｅ、３２ｅと、曲がり部３３，３４とが交互に配設されている。従って、Ｕ字状曲管蛍光ランプ３ａ、３ｂの明暗部分は、必ず交互に配設されるので、バックライト装置２として、より均一な輝度の照明が可能となるなどの作用効果を奏する。
【００２９】
なお、上述した各実施形態は、本発明の好適な実施例であるが、本発明はこれに限定されるものではなく、本発明の要旨を逸脱しない範囲において、種々変形実施可能である。
【００３０】
例えば、上述した実施形態では、液晶ディスプレイ装置１３を、液晶テレビジョン１に用いた場合について詳述したが、他の計器表示装置に本発明を適用してもよいのは、勿論である。
【図面の簡単な説明】
【００３１】
【図１】本発明の一実施形態に係るバックライト装置を有する液晶ディスプレイ装置を用いた液晶テレビジョンの概略構成を示す正面図である。
【図２】バックライト装置の概略構成を示す正面図である。
【図３】図２に示すバックライト装置の示す背面図である。
【図４】図２に示すＵ字状曲管蛍光ランプの概略構成を示す一部を断面した断面図である。
【図５】図２に示すＵ字状曲管蛍光ランプのＵ字状曲管蛍光ランプの配置状態を示す正面図である。
【図６】本発明の他の実施形態に係るバックライト装置の概略構成を示す正面図である。
【図７】図５に示すＵ字状曲管蛍光ランプの概略構成を示す一部を断面した断面図である。
【図８】図６に示すＵ字状曲管蛍光ランプのＵ字状曲管蛍光ランプの配置状態を示す正面図である。
【図９】従来のバックライト装置のＵ字状曲管蛍光ランプの配置状態を示す正面図である。
【符号の説明】
【００３２】
１      液晶テレビジョン
１３    液晶ディスプレイ装置
２      バックライト装置
３ａ    Ｕ字状曲管蛍光ランプ（一方）
３ｂ    Ｕ字状曲管蛍光ランプ（他方）
３Ｔ    ガラスランプ管
３１    直管部（一方）
３２    直管部（他方）
３１ｅ  端部
３２ｅ  端部
３３    曲がり部
３４    曲がり部
４      ランプ群
５      外部接続部
５０    外部接続部
Ｌ１    間隙
Ｌ２    間隙
【図１】
2009004199.tif 000003
【図２】
2009004199.tif 000004
【図３】
2009004199.tif 000005
【図４】
2009004199.tif 000006
【図５】
2009004199.tif 000007
【図６】
2009004199.tif 000008
【図７】
2009004199.tif 000009
【図８】
2009004199.tif 000010
【図９】
2009004199.tif 000011